(57)【要約】【課題】主に各種照明機器の遠隔操作に用いられるリモコン送受信装置に関し、簡易な構成で、安価なものを提供することを目的とする。【解決手段】操作手段２の所定の操作等に応じて、リモコン送信機１５からアドレスコードＭを送信し、これをリモコン受信機１８が記憶してペアリングを行うと共に、このアドレスコードＭを用いて遠隔操作を行うことによって、リモコン送信機１５の受信手段やリモコン受信機１８の送信手段が不要となり、各々の構成部品数が少なくなるため、簡易な構成で安価なリモコン送受信装置を得ることができる。【選択図】図１
2010154430.tif 000002
【特許請求の範囲】
【請求項１】
操作手段の操作に応じてリモコン信号を送信するリモコン送信機と、上記リモコン信号を受信して所定の駆動信号を出力するリモコン受信機からなり、上記リモコン送信機からアドレスコードが送信されると、これを上記リモコン受信機が記憶するリモコン送受信装置。
【発明の詳細な説明】
【技術分野】
【０００１】
本発明は、主に各種照明機器や空調機器等の遠隔操作に用いられるリモコン送受信装置に関するものである。
【背景技術】
【０００２】
近年、照明機器やエアコン等の高機能化が進むなか、これらを遠隔操作するリモコン送受信装置においても、発光ダイオード等を用いた赤外線によって操作を行うものに加え、離れた位置や家具等の遮蔽物があった場合でも操作が可能なように、電波によって操作を行うものが多く用いられるようになっている。
【０００３】
このような従来のリモコン送受信装置について、図４を用いて説明する。
【０００４】
図４は従来のリモコン送受信装置の斜視図であり、同図において、１は略箱状で絶縁樹脂製のケースで、このケース１上面には、下方にスイッチ接点が設けられた複数の操作キー２Ａや２Ｂ、２Ｃ等が上下動可能に突出して、操作手段２が形成されている。
【０００５】
そして、ケース１内には上下面に複数の配線パターンが形成された配線基板（図示せず）が収納され、この配線基板に実装されたアンテナ等によって送信手段３や受信手段４、マイコン等の電子部品によって制御手段５が各々形成されて、リモコン送信機６が構成されている。
【０００６】
また、７は天井等に取付けられた室内灯等の照明機器で、この内方にはアンテナ等の送信手段８や受信手段９、マイコン等の制御手段１０から形成された、リモコン受信機１１が収納されると共に、このリモコン受信機１１とリモコン送信機６によって、リモコン送受信装置が構成されている。
【０００７】
なお、このような電波を用いて遠隔操作を行うリモコン送受信装置の場合、赤外線方式のもの等に比べ通信範囲が広く、室内に置かれた他の機器、あるいは他の部屋の機器にまで電波が届き、意図しない機器まで誤操作してしまうことを防ぐため、使用前に、一組のリモコン送信機６とリモコン受信機１１のみがペアとして操作可能となる設定、いわゆるペアリングが一般的に行われている。
【０００８】
つまり、以上の構成において、先ず、リモコン送信機６を照明機器７に向けて、ペアリング設定用の所定の操作キー、例えば操作キー２Ａを押圧操作すると、この下方のスイッチ接点の電気的接離が行われ、これを制御手段５が検出して、リモコン送信機６毎に独自に設定されたアドレスコードから形成されたリモコン信号が、送信手段３から電波として送信される。
【０００９】
そして、このリモコン信号をリモコン受信機１１の受信手段９が受信すると、このアドレスコードに、制御手段１０が予め独自に記憶した認証コードが付加されたリモコン信号が、送信手段８から電波としてリモコン送信機６へ返信され、この認証コードを制御手段５が記憶することによって、リモコン送信機６とリモコン受信機１１が一組のペアとして操作可能となる設定、いわゆるペアリングが行われる。
【００１０】
また、このようにペアリング設定を終了した後、リモコン送信機６によって照明機器７の通常の遠隔操作を行う場合には、操作手段２の複数の操作キーのうち、例えば点灯用の操作キー２Ｂを押圧操作すると、ペアリングで記憶した認証コードの後に、点灯用の操作コードが付加されたリモコン信号が、リモコン送信機６からリモコン受信機１１へ送信される。
【００１１】
そして、リモコン受信機１１の制御手段１０が、このリモコン信号の認証コードが予め自らに記憶されたものと同一であるか否かを判定し、一致した場合には、操作コードに応じた所定の駆動信号を出力し、照明機器７の操作、例えば電灯の点灯の操作が行われるが、認証コードが異なる場合には、照明機器７の遠隔操作は行われないようになっている。
【００１２】
つまり、最初に一組のリモコン送信機６とリモコン受信機１１を、上記のような操作を行ってペアリングし、各々の制御手段５と制御手段１０が記憶した認証コードが同一である組み合わせのもの同士のみが、遠隔操作可能なように設定することによって、リモコン信号に比較的遠方まで届く電波を用いた場合でも、他のペアリングされていない機器が誤操作されることがないように構成されているものであった。
【００１３】
なお、この出願の発明に関連する先行技術文献情報としては、例えば、特許文献１が知られている。
【特許文献１】特開２００３−２４３１８３号公報
【発明の開示】
【発明が解決しようとする課題】
【００１４】
しかしながら、上記従来のリモコン送受信装置においては、一組のリモコン送信機６とリモコン受信機１１をペアリングする際、アドレスコードや認証コード等を互いに送信及び受信してペアリングを行っているため、双方に送信手段３と８、及び受信手段４と９が必要となり、構成部品数も多く、高価なものになってしまうという課題があった。
【００１５】
本発明は、このような従来の課題を解決するものであり、簡易な構成で、安価なリモコン送受信装置を提供することを目的とする。
【課題を解決するための手段】
【００１６】
上記目的を達成するために本発明は、操作手段の所定の操作等に応じて、リモコン送信機からアドレスコードが送信されると、これをリモコン受信機が記憶するようにしてリモコン送受信装置を構成したものであり、ペアリング時にリモコン受信機が、リモコン送信機からのアドレスコードを記憶すると共に、このアドレスコードを用いて遠隔操作を行うことによって、リモコン送信機の受信手段とリモコン受信機の送信手段が不要となるため、各々の構成部品数が少なくなり、簡易な構成で安価なリモコン送受信装置を得ることができるという作用を有するものである。
【発明の効果】
【００１７】
以上のように本発明によれば、簡易な構成で、安価なリモコン送受信装置を実現できるという有利な効果が得られる。
【発明を実施するための最良の形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるリモコン送受信装置のブロック回路図、図２は同斜視図であり、同図において、１は略箱状でポリスチレンやＡＢＳ等の絶縁樹脂製のケースで、このケース１上面には、下方にスイッチ接点が設けられたゴムや絶縁樹脂製の複数の操作キー２Ａや２Ｂ、２Ｃ等が、上下動可能に突出して操作手段２が形成されている。
【００２１】
そして、ケース１内には上下面に銅箔等によって複数の配線パターンが形成された、紙フェノールやガラス入りエポキシ等の配線基板（図示せず）が収納されると共に、この配線基板に実装されたアンテナ等によって送信手段１３、及び操作手段２や送信手段１３に接続されたマイコン等によって制御手段１４が、各々形成されてリモコン送信機１５が構成されている。
【００２２】
また、７は天井等に取付けられた室内灯等の照明機器で、この内方にはアンテナ等の受信手段１６、及び照明機器７や受信手段１６に接続されたマイコン等の制御手段１７から形成された、リモコン受信機１８が収納されると共に、このリモコン受信機１８とリモコン送信機１５によって、リモコン送受信装置が構成されている。
【００２３】
そして、このような電波を用いて遠隔操作を行うリモコン送受信装置の場合、赤外線方式のもの等に比べ通信範囲が広く、室内に置かれた他の機器、あるいは他の部屋の機器にまで電波が届き、意図しない機器まで誤操作してしまうことを防ぐため、使用前に、一組のリモコン送信機１５とリモコン受信機１８のみがペアとして操作可能となる設定、いわゆるペアリングが一般的に行われている。
【００２４】
つまり、以上の構成において、先ず、リモコン送信機１５を照明機器７に向けて、ペアリング設定用の所定の操作キー、例えば操作キー２Ａを押圧操作すると、この下方のスイッチ接点の電気的接離が行われ、これを制御手段１４が検出して、図３（ａ）の信号構成図に示すような、識別コードＬ１とリモコン送信機１５毎に独自に設定されたアドレスコードＭから形成されたリモコン信号が、送信手段１３から電波として送信される。
【００２５】
そして、このリモコン信号をリモコン受信機１８の受信手段１６が受信し、制御手段１７がこのアドレスコードＭを記憶することによって、リモコン送信機１５とリモコン受信機１８が一組のペアとして操作可能となる設定、いわゆるペアリングが行われる。
【００２６】
また、このようにペアリング設定を終了した後、リモコン送信機１５によって照明機器７の通常の遠隔操作を行う場合には、操作手段２の複数の操作キーのうち、例えば点灯用の操作キー２Ｂを押圧操作すると、図３（ｂ）に示すような、ペアリング時とは異なる識別コードＬ２とアドレスコードＭの後に、点灯用の操作コードＮ１が付加されたリモコン信号が、リモコン送信機１５からリモコン受信機１８へ送信される。
【００２７】
そして、リモコン受信機１８の制御手段１７が、識別コードＬ２によってこれがペアリング用のリモコン信号ではなく、操作用のリモコン信号であることを判別すると共に、アドレスコードＭがペアリング時に記憶したものと同一であるか否かを判定し、一致した場合には、操作コードＮ１に応じた所定の駆動信号を出力して、照明機器７の操作、例えば電灯の点灯が行われる。
【００２８】
なお、アドレスコードＭが異なる場合には、このリモコン信号は他のペアリングされていないリモコン送信機からのものであると制御手段１７が判定し、駆動信号は出力されないため、照明機器７の遠隔操作は行われない。
【００２９】
つまり、最初に一組のリモコン送信機１５とリモコン受信機１８を、上記のような操作を行ってペアリングし、ペアリング時に制御手段１７が記憶したアドレスコードＭが、同一である組み合わせのリモコン送信機１５のみが、遠隔操作可能なように設定することによって、リモコン信号に比較的遠方まで届く電波を用いた場合でも、他のペアリングされていない機器が誤操作されることがないように構成されている。
【００３０】
また、この時、上記のようにペアリング時にリモコン受信機１８が、リモコン送信機１５からのアドレスコードＭを記憶すると共に、遠隔操作時にはこのアドレスコードＭによって、制御手段１７がリモコン送信機１５からのリモコン信号であるか否かを判定することで、リモコン送信機１５には受信手段を、リモコン受信機１８には送信手段を各々設ける必要がなくなるため、構成部品数を少なくでき、簡易な構成で、安価にリモコン送受信装置を構成することが可能なようになっている。
【００３１】
なお、上記のようなペアリングを行う際、通常の遠隔操作時に比べ低い出力で、リモコン送信機１５からペアリング用のリモコン信号を送信することによって、同じ室内に置かれた照明機器７以外の機器、あるいは他の部屋の機器と誤ってペアリングされてしまうことを防ぐことができる。
【００３２】
つまり、送信手段１３に加え、出力の低い別の送信手段を設けると共に、操作キー２Ｂや２Ｃが押圧操作された通常の遠隔操作時には、制御手段１４がこれを検出して、送信手段１３から例えば２００μＷ前後でリモコン信号を出力するのに対し、ペアリング設定用の操作キー２Ａが押圧操作された場合には、制御手段１４が別の送信手段から、例えば１０μＷ前後でリモコン信号を出力するようにすれば、この低い出力のペアリング用のリモコン信号の電波が届く範囲は限られたものとなる。
【００３３】
したがって、照明機器７の近傍、例えば照明機器７の真下で操作キー２Ａを押圧操作した場合、近くのペアリングしたい照明機器７には電波が届くが、照明機器７から離れた他の機器には電波が届かなくなり、他の機器との誤ったペアリングを防止することができる。
【００３４】
また、リモコン送信機１５以外のリモコン送信機についても、上記のようなペアリングを行い、制御手段１７に各々のアドレスコードを記憶させることによって、リモコン受信機１８を複数のリモコン送信機で遠隔操作できるように設定することが可能であるが、これがあまり多くなると、制御手段１７に大きな記憶容量のものを用いる必要が生じる。
【００３５】
したがって、この場合には、例えば各々のリモコン送信機にクリア用の操作キーを設けておき、不要となったリモコン送信機からはこの操作キーを操作することで、所定のクリア用のリモコン信号を送信し、リモコン受信機１８がこれを受信した場合には、このリモコン送信機のアドレスコードを記憶から消去するように形成することによって、制御手段１７の記憶容量をさほど大きなものとしなくてもすむようにできる。
【００３６】
あるいは、このようなクリア用の操作キーに代えて、既に設けられている操作キーを通常の操作とは異なる操作、例えばペアリング設定用の操作キー２Ａを５秒以上押圧操作し、これを制御手段１４が検出した場合には、アドレスコード消去用のリモコン信号を送信するように構成してもよい。
【００３７】
さらに、リモコン送信機１５側ではなく、リモコン受信機１８の方にクリア用の操作キーを設けておき、これが押圧操作された場合には、制御手段１７が記憶したアドレスコードを全て消去するようにしてもよい。
【００３８】
また、以上の説明では、リモコン送信機１５にペアリング設定用の操作キー２Ａを設け、これを押圧操作することでリモコン受信機１８とのペアリングを行う構成について説明したが、リモコン送信機１５に電池を装着または交換する際に、制御手段１４がこれを検出し、上記のようにアドレスコードＭを送信するようにすれば、操作キー２Ａが不要となり、リモコン送信機１５をさらに簡易な構成で形成することができる。
【００３９】
このように本実施の形態によれば、操作手段２の所定の操作等に応じて、リモコン送信機１５からアドレスコードＭを送信し、これをリモコン受信機１８が記憶してペアリングを行うと共に、このアドレスコードＭを用いて遠隔操作を行うことによって、リモコン送信機１５の受信手段やリモコン受信機１８の送信手段が不要となり、各々の構成部品数が少なくなるため、簡易な構成で安価なリモコン送受信装置を得ることができるものである。
【００４０】
なお、以上の説明では、リモコン送信機１５とペアリングを行い遠隔操作する機器として、天井等に取付けられた室内灯等の照明機器７を用いた構成について説明したが、同じく室内の比較的高い場所に設置される、エアコンや壁掛け扇風機等の空調機器を遠隔操作する構成としても、本発明の実施は可能である。
【産業上の利用可能性】
【００４１】
本発明によるリモコン送受信装置は、簡易な構成で、安価なものが得られ、主に各種照明機器や空調機器等の遠隔操作用として有用である。
【図面の簡単な説明】
【００４２】
【図１】本発明の一実施の形態によるリモコン送受信装置のブロック回路図
【図２】同斜視図
【図３】同信号構成図
【図４】従来のリモコン送受信装置の斜視図
【符号の説明】
【００４３】
１  ケース
２  操作手段
２Ａ、２Ｂ、２Ｃ  操作キー
７  照明機器
１３  送信手段
１４  制御手段
１５  リモコン送信機
１６  受信手段
１７  制御手段
１８  リモコン受信機
【図１】
2010154430.tif 000003
【図２】
2010154430.tif 000004
【図３】
2010154430.tif 000005
【図４】
2010154430.tif 000006